(57)【特許請求の範囲】
【請求項１】
底板上に、圧縮機と熱交換器とを載置し、同熱交換器に対向して送風機を取り付ける取付台を立設し、
前記圧縮機を圧縮機カバーで覆うとともに、
同圧縮機カバーの上部に仕切板を立設し、
前記熱交換器の上部一側に電装箱を載置する中板を、他側に操作弁取付具を夫々配置し、
前記電装箱の操作弁側にケーブル導入口を設け、
前記電装箱に設けられた二つの接続端子盤に二台の室内機へ連なる第一電源ケーブルおよび第二電源ケーブルを夫々接続し、
前記ケーブル導入口からの距離が異なる位置に前記二つの接続端子盤が固定されるとともに、これら二つの接続端子盤と前記導入口側との間で前記第一電源ケーブルおよび第二電源ケーブルを夫々固定する複数のケーブルクランプ用の固定部が設けられてなり、
前記複数のケーブルクランプが、前記ケーブル導入口から遠い側に固定された接続端子盤の前記導入口側で前記第一電源ケーブルをクランプする第一ケーブルクランプと、前記ケーブル導入口に近い側に固定された接続端子盤の前記導入口側で前記第二電源ケーブルおよび前記第一電源ケーブルの両方を同時にクランプする第二ケーブルクランプとからなり、
前記固定部が、前記第一ケーブルクランプおよび前記第二ケーブルクランプを夫々固定する第一固定部および第二固定部からなることを特徴とする空気調和機の室外機。
【請求項２】
前記第一ケーブルクランプは、前記第一電源ケーブルを保持する保持部が略逆凹状に形成されてその一側に係止爪が連続形成されるとともに、他側に挿通孔を備えた固定面が連続形成されてなる一方、前記第一固定部が、前記係止爪を係止する係止孔と、前記挿通孔に対応するねじ孔とで構成されてなり、前記保持部で前記第一電源ケーブルの一部を収容し保持して前記係止爪を前記係止孔に係止するとともに、前記挿通孔を挿通したねじを前記ねじ孔に螺着して前記第一電源ケーブルまたは前記第二電源ケーブルを固定したことを特徴とする請求項１に記載の空気調和機の室外機。
【請求項３】
前記第二ケーブルクランプは、前記第一電源ケーブルおよび前記第二電源ケーブルを保持する保持部が略逆凹状に形成されてその一側に係止爪が連続形成されるとともに、他側に挿通孔を備えた固定面が連続形成されてなる一方、前記第二固定部が、前記係止爪を係止する係止孔と、前記挿通孔に対応するねじ孔とで構成されてなり、前記保持部で前記第一電源ケーブルおよび前記第二電源ケーブルの一部を収容し保持して前記係止爪を前記係止孔に係止するとともに、前記挿通孔を挿通したねじを前記ねじ孔に螺着して前記第一電源ケーブルおよび前記第二電源ケーブルを固定したことを特徴とする請求項１に記載の空気調和機の室外機。
【請求項４】
前記二つの接続端子盤は、前記第一電源ケーブルおよび前記第二電源ケーブルを前記電装箱のケーブル導入口から略平行に導入して前部の接続端子盤には直線状に接続する一方、後部の接続端子盤にはほぼ９０°折曲して接続するように夫々固定したことを特徴とする請求項１乃至請求項３の何れかに記載の空気調和機の室外機。
【請求項５】
前記二台の室内機が、同一室内壁面の上下部に据付け設置された際、上部の室内機に連なる前記第一電源ケーブルを、前記ケーブル導入口を臨ませた前部の前記接続端子盤に接続する一方、下部の室内機に連なる前記第二電源ケーブルを、前記ケーブル導入口を臨ませた後部の前記接続端子盤に接続するようにしたことを特徴とする請求項１または請求項４に記載の空気調和機の室外機。
【請求項６】
前記電装箱のケーブル導入口に、前記第一電源ケーブルおよび、または前記第二電源ケーブルをカバーする配線カバーを設けたことを特徴とする請求項１乃至請求項５の何れかに記載の空気調和機の室外機。
【発明の詳細な説明】
【０００１】
【発明の属する技術分野】
本発明は、空気調和機の室外機に係わり、より詳細には、接続端子盤を固定する電装箱の端子台を、二台の室内機に連なる電源ケーブルを容易に、且つ正確に接続できるように形成し、同接続部前方の電源ケーブルを簡便に固定できるようにした構造に関する。
【０００２】
【従来の技術】
従来の空気調和機の室外機は、底板上に、圧縮機と熱交換器とを載置し、同熱交換器に対向して送風機を取り付ける取付台を立設し、前記圧縮機を圧縮機カバーで覆うとともに、同圧縮機カバーの上部に仕切板を立設し、前記熱交換器の上部一側に電装箱を載置する中板を、他側に操作弁取付具を夫々配置し、前記電装箱に、室内機へ連なる電源ケーブルが接続され、ケーブル導入口を臨ませた接続端子盤が固定されてなる構成であった。
【０００３】
しかしながら、所謂マルチタイプの空気調和機として、前記室外機本体に対し二台の室内機が接続される場合には、前記電装箱は、二つの前記接続端子盤が固定できるように加工、もしくは交換する必要が生じたり、また、二本の前記電源ケーブルが導入できるように前記ケーブル導入口を形成したものを用いる必要が生じるため、コスト的に不利になってしまうという問題を有していた。
【０００４】
【発明が解決しようとする課題】
本発明は、上記問題点に鑑み、接続端子盤を固定する電装箱の端子台を、二台の室内機に連なる電源ケーブルを容易に、且つ正確に接続できるように形成し、同接続部前方の電源ケーブルを簡便に固定できるようにした空気調和機の室外機を提供することを目的とする。
【０００５】
【課題を解決するための手段】
本発明は、上記課題を解決するため、底板上に、圧縮機と熱交換器とを載置し、同熱交換器に対向して送風機を取り付ける取付台を立設し、前記圧縮機を圧縮機カバーで覆うとともに、同圧縮機カバーの上部に仕切板を立設し、前記熱交換器の上部一側に電装箱を載置する中板を、他側に操作弁取付具を夫々配置し、前記電装箱の操作弁側にケーブル導入口を設け、前記電装箱に設けられた二つの接続端子盤に二台の室内機へ連なる第一電源ケーブルおよび第二電源ケーブルを夫々接続し、前記ケーブル導入口からの距離が異なる位置に前記二つの接続端子盤が固定されるとともに、これら二つの接続端子盤と前記導入口側との間で前記第一電源ケーブルおよび第二電源ケーブルを夫々固定する複数のケーブルクランプ用の固定部が設けられてなり、前記複数のケーブルクランプが、前記ケーブル導入口から遠い側に固定された接続端子盤の前記導入口側で前記第一電源ケーブルをクランプする第一ケーブルクランプと、前記ケーブル導入口に近い側に固定された接続端子盤の前記導入口側で前記第二電源ケーブルおよび前記第一電源ケーブルの両方を同時にクランプする第二ケーブルクランプとからなり、前記固定部が、前記第一ケーブルクランプおよび前記第二ケーブルクランプを夫々固定する第一固定部および第二固定部からなる構成となっている。
【０００６】
また、前記第一ケーブルクランプは、前記第一電源ケーブルを保持する保持部が略逆凹状に形成されてその一側に係止爪が連続形成されるとともに、他側に挿通孔を備えた固定面が連続形成されてなる一方、前記第一固定部が、前記係止爪を係止する係止孔と、前記挿通孔に対応するねじ孔とで構成されてなり、前記保持部で前記第一電源ケーブルの一部を収容し保持して前記係止爪を前記係止孔に係止するとともに、前記挿通孔を挿通したねじを前記ねじ孔に螺着して前記第一電源ケーブルまたは前記第二電源ケーブルを固定した構成となっている。
【０００７】
また、前記第二ケーブルクランプは、前記第一電源ケーブルおよび前記第二電源ケーブルを保持する保持部が略逆凹状に形成されてその一側に係止爪が連続形成されるとともに、他側に挿通孔を備えた固定面が連続形成されてなる一方、前記第二固定部が、前記係止爪を係止する係止孔と、前記挿通孔に対応するねじ孔とで構成されてなり、前記保持部で前記第一電源ケーブルおよび前記第二電源ケーブルの一部を収容し保持して前記係止爪を前記係止孔に係止するとともに、前記挿通孔を挿通したねじを前記ねじ孔に螺着して前記第一電源ケーブルおよび前記第二電源ケーブルを固定した構成となっている。
【０００８】
また、前記二つの接続端子盤は、前記第一電源ケーブルおよび前記第二電源ケーブルを前記電装箱のケーブル導入口から略平行に導入して前部の接続端子盤には直線状に接続する一方、後部の接続端子盤にはほぼ９０°折曲して接続するように夫々固定した構成となっている。
【０００９】
また、前記二台の室内機が、同一室内壁面の上下部に据付け設置された際、上部の室内機に連なる前記第一電源ケーブルを、前記ケーブル導入口を臨ませた前部の前記接続端子盤に接続する一方、下部の室内機に連なる前記第二電源ケーブルを、前記ケーブル導入口を臨ませた後部の前記接続端子盤に接続するようにした構成となっている。
【００１０】
更に、前記電装箱のケーブル導入口に、前記第一電源ケーブルおよび、または前記第二電源ケーブルをカバーする配線カバーを設けた構成となっている。
【００１１】
【発明の実施の形態】
以下、本発明の実施の形態を、添付図面に基づいた実施例として説明する。
図１と、図２（Ａ）および図２（Ｂ）と、図３とで示すように、本発明による空気調和機の室外機は、底板１上に、圧縮機２と熱交換器３とを載置し、同熱交換器３に対向して送風機４を取り付ける取付台５を立設し、前記圧縮機２を圧縮機カバー６で覆うとともに、同圧縮機カバー６の上部に仕切板７を立設し、前記熱交換器３の上部一側に電装カバー10で覆われた電装箱９を載置する中板８を、他側に操作弁取付具11を夫々配置し、前記電装箱９に、二台の室内機へ連なる第一電源ケーブルａおよび第二電源ケーブルｂを夫々接続し、ケーブル導入口12を臨ませて後部と前部とに離間した二つの接続端子盤13および14が固定されるとともに、これら二つの接続端子盤13および14の前方で前記第一電源ケーブルａおよび第二電源ケーブルｂを夫々固定する複数のケーブルクランプ用の後述する固定部が設けられてなり、
前記複数のケーブルクランプが、前記ケーブル導入口12を臨ませて後部に固定された接続端子盤13の前方で、前記第一電源ケーブルａまたは前記第二電源ケーブルｂの何れか一方をクランプする第一ケーブルクランプ15と、前記ケーブル導入口12を臨ませて前部に固定された接続端子盤14の前方で、前記第二電源ケーブルｂまたは前記第一電源ケーブルａの何れか一方、もしくはこれらの両方を同時にクランプする第二ケーブルクランプ16とからなり、これら第一ケーブルクランプ15および第二ケーブルクランプ16を夫々固定する固定部が、後述する第一固定部および第二固定部からなる構成となっており、
これによって、例えば前記室外機本体に対し一台の室内機が接続される際、前記ケーブル導入口12を臨ませて後部に固定された接続端子盤13により、前記第一電源ケーブルａまたは前記第二電源ケーブルｂを接続できるようになる一方、前記室外機本体に対し二台の室内機が接続される際、前記両接続端子盤13および14を固定する前記電装箱９の端子台9'を、二台の室内機に連なる前記第一電源ケーブルａおよび前記第二電源ケーブルｂを容易に、且つ正確に接続できるように形成したので、所謂マルチタイプの空気調和機としても使用できるようになってコスト的に有利な構造となる。
なお、図１で示すＡは前記底板１に被着される前面カバー、Ｂは両側面を備えた背面カバー、Ｃは上面カバーであり、図３で示すｃは前記電装箱９に前記端子台9'がスポット溶接されたスポット溶接部である。
【００１２】
また、前記第一ケーブルクランプ15は、図２（Ｂ）で示すように、前記第一電源ケーブルａまたは前記第二電源ケーブルｂを保持する保持部が略逆凹状に形成されてその一側に係止爪15a が連続形成されるとともに、他側に挿通孔を備えた固定面15b が連続形成されてなる一方、前記第一ケーブルクランプ15を固定する第一固定部が、図３で示すように、前記係止爪15a を係止する係止孔9'a と、前記挿通孔に対応するねじ孔9'b とで構成されてなり、前記保持部で前記第一電源ケーブルａまたは前記第二電源ケーブルｂの一部を収容し保持して前記係止爪15a を前記係止孔9'a に係止するとともに、前記挿通孔を挿通したねじを前記ねじ孔9'b に螺着して前記第一電源ケーブルａまたは前記第二電源ケーブルｂを固定した構成となっており、
これによって、前記第一ケーブルクランプ15により、前記接続端子盤13に接続された前記第一電源ケーブルａまたは前記第二電源ケーブルｂを、同接続端子盤13の前方で正確に、且つ強固に固定できるようにした構造となる。
【００１３】
また、前記第二ケーブルクランプ16は、図２（Ａ）および図２（Ｂ）で示すように、前記第一電源ケーブルａおよび、または前記第二電源ケーブルｂを保持する保持部が略逆凹状に形成されてその一側に係止爪16a が連続形成されるとともに、他側に挿通孔を備えた固定面16b が連続形成されてなる一方、前記第二ケーブルクランプ16を固定する第二固定部が、図３で示すように、前記係止爪16a を係止する係止孔9'c と、前記挿通孔に対応するねじ孔9'd とで構成されてなり、前記保持部で前記第一電源ケーブルａおよび、または前記第二電源ケーブルｂの一部を収容し保持して前記係止爪16a を前記係止孔9'c に係止するとともに、前記挿通孔を挿通したねじを前記ねじ孔9'd に螺着して前記第一電源ケーブルａおよび、または前記第二電源ケーブルｂを固定した構成となっており、
これによって、前記第二ケーブルクランプ16により、前記ケーブル導入口12から導入され、前記接続端子盤13および14に接続された前記第一電源ケーブルａおよび前記第二電源ケーブルｂを、前記接続端子盤14の前方で同時に、且つ正確に固定できるようにした構造となる。
【００１４】
また、前記二つの接続端子盤13および14は、図２（Ｂ）で示すように、前記第一電源ケーブルａおよび前記第二電源ケーブルｂを前記電装箱９のケーブル導入口12から略平行に導入して前部の接続端子盤14には直線状に接続する一方、後部の接続端子盤13にはほぼ９０°折曲して接続するように夫々固定した構成となっており、
これによって、前記二つの接続端子盤13および14を効果的に離間させることができて、前記第一電源ケーブルａおよび前記第二電源ケーブルｂを夫々正確に接続できるようにした構造となる。
【００１５】
また、前記二台の室内機が、図示はしないが、同一室内壁面の上下部に据付け設置された際、上部の室内機に連なる前記第二電源ケーブルｂを、前記ケーブル導入口12を臨ませた前部の前記接続端子盤14に接続する一方、下部の室内機に連なる前記第一電源ケーブルａを、前記ケーブル導入口12を臨ませた後部の前記接続端子盤13に接続するようにした構成となっており、
これによって、図２（Ｂ）で示すように、前記下部の室内機に連なる前記第一電源ケーブルａを、後部の前記接続端子盤13に接続して前記第一ケーブルクランプ15で固定したのちに、上記に説明したようにほぼ９０°折曲して、前記第二ケーブルクランプ16により、前記上部の室内機に連なり前記接続端子盤14に接続された前記第二電源ケーブルｂと一緒にクランプできるようになって、前記第一電源ケーブルａおよび前記接続端子盤13の接続部と、前記第二電源ケーブルｂおよび前記接続端子盤14の接続部とに無理なストレスが加わることがないようにした構造となり、また、上部の室内機に連なる前記第二電源ケーブルｂを、前部の前記接続端子盤14に接続するようにし、下部の室内機に連なる前記第一電源ケーブルａを、後部の前記接続端子盤13に接続するようにしたことにより、誤接続をなくしメンテナンス性を損ねることがないようにした構造となる。
なお、図示はしないが刻印などにより、前記接続端子盤13の近傍には、「下部の室内側」の文字表示をし、前記接続端子盤14の近傍には「上部の室内側」の文字表示をしておけば便利である。
【００１６】
更に、前記電装箱９のケーブル導入口12に、図１および図２（Ａ）で示すように、前記第一電源ケーブルａおよび、または前記第二電源ケーブルｂをカバーする配線カバー17を設けたことにより、これら第一電源ケーブルａおよび、または第二電源ケーブルｂを効果的に保護できるようにした構成となっている。
【００１７】
以上の構成により、図１と、図２（Ａ）および図２（Ｂ）と、図３とで示すように、底板１上に、圧縮機２と熱交換器３とを載置し、同熱交換器３に対向して送風機４を取り付ける取付台５を立設し、前記圧縮機２を圧縮機カバー６で覆うとともに、同圧縮機カバー６の上部に仕切板７を立設し、前記熱交換器３の上部一側に電装カバー10で覆われた電装箱９を載置する中板８を、他側に操作弁取付具11を夫々配置し、前記電装箱９に、二台の室内機へ連なる第一電源ケーブルａおよび第二電源ケーブルｂを夫々接続し、ケーブル導入口12を臨ませて後部と前部とに離間した二つの接続端子盤13および14が固定されるとともに、これら二つの接続端子盤13および14の前方で前記第一電源ケーブルａおよび第二電源ケーブルｂを夫々固定する複数のケーブルクランプ用の固定部が設けられてなり、
前記複数のケーブルクランプが、前記ケーブル導入口12を臨ませて後部に固定された接続端子盤13の前方で、前記第一電源ケーブルａまたは前記第二電源ケーブルｂの何れか一方をクランプする第一ケーブルクランプ15と、前記ケーブル導入口12を臨ませて前部に固定された接続端子盤14の前方で、前記第二電源ケーブルｂまたは前記第一電源ケーブルａの何れか一方、もしくはこれらの両方を同時にクランプする第二ケーブルクランプ16とからなり、これら第一ケーブルクランプ15および第二ケーブルクランプ16を夫々固定する固定部が、第一固定部および第二固定部からなる構成となっており、
これによって、例えば前記室外機本体に対し一台の室内機が接続される際、前記ケーブル導入口12を臨ませて後部に固定された接続端子盤13により、前記第一電源ケーブルａまたは前記第二電源ケーブルｂを接続できるようになる一方、前記室外機本体に対し二台の室内機が接続される際、前記両接続端子盤13および14を固定する前記電装箱９の端子台9'を、二台の室内機に連なる前記第一電源ケーブルａおよび前記第二電源ケーブルｂを容易に、且つ正確に接続できるように形成したので、所謂マルチタイプの空気調和機としても使用できるようになってコスト的に有利な空気調和機の室外機となる。
【００１８】
【発明の効果】
以上説明したように、本発明によれば、接続端子盤を固定する電装箱の端子台を、二台の室内機に連なる電源ケーブルを容易に、且つ正確に接続できるように形成し、同接続部前方の電源ケーブルを簡便に固定できるようにした空気調和機の室外機となる。
【図面の簡単な説明】
【図１】本発明による空気調和機の室外機の要部分解斜視図である。
【図２】本発明による空気調和機の室外機の要部説明図で、（Ａ）は斜視図であり、（Ｂ）は上部の平面図である。
【図３】本発明による空気調和機の室外機の要部平面図である。
【図４】従来例による空気調和機の室外機の要部分解斜視図である。
【符号の説明】
１  底板
２  圧縮機
３  熱交換器
４  送風機
５  モータ取付台
６  圧縮機カバー
７  仕切板
８  中板
９  電装箱
9'  端子台
9'a ，9'c 係止孔
9'b ，9'd ねじ孔
10  電装カバー
11  操作弁取付具
12  ケーブル導入口
13  接続端子盤
14  接続端子盤
15  第一ケーブルクランプ
15a 係止爪
15b 固定面
16  第二ケーブルクランプ
16a 係止爪
16b 固定面
17  配線カバー
Ａ  前面カバー
Ｂ  背面カバー
Ｃ  上面カバー
ａ  第一電源ケーブル
ｂ  第二電源ケーブル
ｃ  スポット溶接部
【図１】
0004482976.tif 000002
【図２】
0004482976.tif 000003
【図３】
0004482976.tif 000004
【図４】
0004482976.tif 000005